(57)【要約】【課題】燃料電池発電装置において、発電モジュールを短時間で且つ容易に固定可能な構造を備えたもの、発電モジュールの固定強度を一定に維持可能な構造を備えたもの、等を提供することである。【解決手段】燃料電池発電装置１は、発電モジュール２と、この発電モジュール２を載置して固定する為のフレーム部材１２とを外装ケース１１内に収納して構成され、発電モジュール２には、運搬用の吊り下げ金具１８が設けられ、吊り下げ金具１８は、発電モジュール２をフレーム部材１２に設置固定する為の固定部材として共用可能に構成され、吊り下げ金具１８は、発電モジュール２の吊り下げ運搬時には、弾性部材２７の弾性力に抗して引き出されて使用されると共に、発電モジュール２をフレーム部材１２に設置固定する場合には、弾性部材２７の弾性力によってフレーム部材１２の把手固定孔２１に嵌合するように構成されている。【選択図】図２
2014165121.tif 000002
【特許請求の範囲】
【請求項１】
発電モジュールと、この発電モジュールを載置して固定する為のフレーム部材とをケース部材内に収納して構成された燃料電池発電装置において、
前記発電モジュールには、運搬用の吊り下げ金具が設けられ、
前記吊り下げ金具は、前記発電モジュールを前記フレーム部材に設置固定する為の固定部材として共用可能に構成されたことを特徴とする燃料電池発電装置。
【請求項２】
前記吊り下げ金具を、前記ケース部材の内側方向に弾性付勢する弾性部材を設け、
前記吊り下げ金具は、前記発電モジュールの吊り下げ運搬時には、前記弾性部材の弾性力に抗して引き出されて使用されると共に、前記発電モジュールを前記フレーム部材に設置固定する場合には、前記弾性部材の弾性力によって前記フレーム部材の嵌合部に嵌合するように構成されたことを特徴とする請求項１に記載の燃料電池発電装置。
【請求項３】
前記吊り下げ金具の吊り下げ金具として使用される状態を保持可能な保持構造が設けられたことを特徴とする請求項１又は２に記載の燃料電池発電装置。
【発明の詳細な説明】
【技術分野】
【０００１】
本発明は燃料電池発電装置に関し、特に発電モジュールの組付け時に発電モジュールを迅速に且つ容易に固定可能な構造を備えたものに関する。
【背景技術】
【０００２】
従来、空気と改質燃料ガス（水素含有ガス）とを燃料電池セルスタックに供給することで電力を発生させ、この発電の際に副次的に発生する熱を湯水として回収する燃料電池コージェネレーションシステムが実用に供されている。従来の燃料電池コージェネレーションシステムは、発電を行なう燃料電池発電装置、熱交換後の湯水を貯湯する貯湯槽を有する貯湯給湯装置、燃料電池発電装置と貯湯給湯装置とに亙って湯水を循環させる循環加熱回路等を備えている。
【０００３】
上記の燃料電池発電装置は、空気と改質燃料ガスとで発電を行なう燃料電池セルスタックとこの燃料電池セルスタックに供給する改質燃料ガスを純水（水蒸気）と天然ガス等の燃料ガスから生成する改質器等を有する発電モジュール、この発電モジュールからの排気ガスと貯湯槽の湯水との間で熱交換する排熱回収装置、前記発電モジュールへ燃料ガスや空気を供給する各種の供給装置、前記発電モジュールで発電されて直流電力を交流電力に変換して外部に出力するパワーコンディショナユニット等を備えている。
【０００４】
ここで、上記の燃料電池発電装置は、ケース部材の内部に各種器具が一体的に収納されて構成されている。このケース部材の内部は、フレーム部材によって上下に仕切られている場合が多く、この構造の場合、フレーム部材の下側領域には、排熱回収装置や各種の供給装置等の補機類、パワーコンディショナユニット等が収納され、フレーム部材の上側領域には、発電モジュールが収納されている。
【０００５】
ところで、上記の発電モジュールは、通常約５０ｋｇ程度の重量物である。発電モジュールをフレーム部材の上に載置する為には、発電モジュールをロープやワイヤー等の吊持手段によって吊り下げて運搬し、フレーム部材の上に載置する必要がある。このため、以下の特許文献１のように、発電モジュールに運搬用の吊り下げ金具を予め装着する場合がある。
【０００６】
即ち、特許文献１の燃料電池セルスタックでは、スタック本体のセル積層方向又はセル積層方向と直交する方向の両端部に剛性部材が夫々設けられ、この剛性部材に１対の吊り下げハンガー（吊り下げ金具）が取り付けられた構造が開示されている。各吊り下げハンガーは、吊持手段を引っ掛け可能な鉤部を有し、燃料電池セルスタックを運搬する場合、吊持手段を１対の吊り下げハンガーに引っ掛けて運搬し、燃料電池セルスタックをフレーム部材の上に載置する。尚、１対の吊り下げハンガーは、運搬後にそのまま装着された状態を維持しても良いし、スタック本体から取り外しても良い。
【先行技術文献】
【特許文献】
【０００７】
【特許文献１】特許第４８８８７２８号公報
【発明の概要】
【発明が解決しようとする課題】
【０００８】
従来では、フレーム部材の上に載置された燃料電池セルスタック（発電モジュール）は、複数のボルト部材又は複数のビス部材を使用してフレーム部材に固定されている。このようなボルト部材やビス部材の取り付け作業に関しては、発電モジュールをフレーム部材に固定する為の複数のボルト部材又はビス部材やボルト締結力等を管理する必要がある。
【０００９】
しかし、作業員が発電モジュールをフレーム部材に載置して固定する作業を自ら行うと、ボルト部材の取り付け忘れや締め付け力不足等が発生する虞がある。このため、発電モジュールの組み付け完了後の点検等を含めて、発電モジュールの組み付け作業の作業時間が長くなり、結果的に発電モジュールの組み付け作業のコストが増加するという問題がある。
【００１０】
本発明の目的は、燃料電池発電装置において、発電モジュールを短時間で且つ容易に固定可能な構造を備えたもの、発電モジュールの固定強度を一定に維持可能な構造を備えたもの、等を提供することである。
【課題を解決するための手段】
【００１１】
請求項１の燃料電池発電装置は、発電モジュールと、この発電モジュールを載置して固定する為のフレーム部材とをケース部材内に収納して構成された燃料電池発電装置において、前記発電モジュールには、運搬用の吊り下げ金具が設けられ、前記吊り下げ金具は、前記発電モジュールを前記フレーム部材に設置固定する為の固定部材として共用可能に構成されたことを特徴としている。
【００１２】
請求項２の燃料電池発電装置は、請求項１の発明において、前記吊り下げ金具を、前記ケース部材の内側方向に弾性付勢する弾性部材を設け、前記吊り下げ金具は、前記発電モジュールの吊り下げ運搬時には、前記弾性部材の弾性力に抗して引き出されて使用されると共に、前記発電モジュールを前記フレーム部材に設置固定する場合には、前記弾性部材の弾性力によって前記フレーム部材の嵌合部に嵌合するように構成されたことを特徴としている。
【００１３】
請求項３の燃料電池発電装置は、請求項１又は２の発明において、前記吊り下げ金具の吊り下げ金具として使用される状態を保持可能な保持構造が設けられたことを特徴としている。
【発明の効果】
【００１４】
請求項１の発明によれば、発電モジュールには、運搬用の吊り下げ金具が設けられ、吊り下げ金具は、発電モジュールをフレーム部材に設置固定する為の固定部材として共用可能に構成されたので、発電モジュールを運搬してフレーム部材の上に載置した後に、吊り下げ金具を固定部材として使用することで、発電モジュールをフレーム部材に固定することができる。
【００１５】
従って、発電モジュールの運搬に際して吊り下げ金具を取り付ける必要がなく、しかも、吊り下げ金具を、発電モジュールをフレーム部材に固定する為に利用可能となるので、ボルト部材やビス部材を使用せずに発電モジュールをフレーム部材に固定することできる。
また、発電モジュールの運搬後に発電モジュールから吊り下げ金具を取り外す必要もないので、発電モジュールをフレーム部材に短時間に且つ容易に固定することができる。
【００１６】
請求項２の発明によれば、吊り下げ金具は、発電モジュールの吊り下げ運搬時には、弾性部材の弾性力に抗して引き出されて使用されると共に、発電モジュールをフレーム部材に設置固定する場合には、弾性部材の弾性力によってフレーム部材の嵌合部に嵌合するように構成されたので、発電モジュールを固定する作業を迅速にできる上、発電モジュールの固定強度を一定に維持することができる。発電モジュールをフレーム部材に固定する為に、複数のボルト部材又はビス部材を必要としないので、コストを低減することができる。
【００１７】
請求項３の発明によれば、吊り下げ金具の吊り下げ金具として使用される状態を保持可能な保持構造が設けられたので、発電モジュールをフレーム部材に設置固定する場合には、吊り下げ金具として使用される状態で保持された吊り下げ金具に吊持手段を容易に接続することができる。
【図面の簡単な説明】
【００１８】
【図１】実施例に係る燃料電池発電装置の概略構成図である。
【図２】吊り下げ状態の発電モジュールとフレーム部材の斜視図である。
【図３】発電モジュールとフレーム部材の正面図である。
【図４】発電モジュールとフレーム部材の側面図である。
【図５】図３のａ部拡大図である。
【図６】図４のｂ部拡大図である。
【図７】吊り下げ金具を引き出した状態の発電モジュール下端部の正面図である。
【図８】吊り下げ金具の引き出し状態を保持した発電モジュール下端部の正面図である。
【図９】吊り下げ金具の引き出し状態を保持した発電モジュール下端部の側面図である。
【図１０】部分変更形態に係る燃料電池発電装置の正面図である。
【発明を実施するための形態】
【００１９】
以下、本発明を実施するための形態について実施例に基づいて説明する。
【実施例】
【００２０】
最初に、燃料電池発電装置１の全体構成について説明する。
図１に示すように、燃料電池発電装置１は、発電モジュール２、燃料改質空気供給装置３、カソード空気供給装置４、燃料ガス供給装置５、純水供給装置６、排熱回収装置７、パワーコンディショナユニット８、制御ユニット９等を備えており、発電モジュール２にて発電された直流電力がパワーコンディショナユニット８を介して交流電力に変換されて外部に出力される。
【００２１】
尚、この燃料電池発電装置１は、排熱回収装置７の熱交換器による熱交換後の湯水を貯湯する貯湯槽を有する貯湯給湯装置と、この貯湯給湯装置と燃料電池発電装置１とに亙って湯水を循環させる為の循環加熱回路等と組み合わせることで燃料電池コージェネレーションシステムを構成しているが、燃料電池発電装置１以外の構成の詳細な説明は省略する。
【００２２】
発電モジュール２は、燃料電池セルスタック、燃料ガスに混合する為の水蒸気を生成する蒸発器、燃料ガスと空気と水蒸気とを混合して反応（所謂、水蒸気改質）させて改質燃料ガスを生成する燃料改質器、燃料電池セルスタックによる発電に伴い生じる残余燃料ガスを燃焼処理するオフガス燃焼室等を備え、燃料改質器によって改質された改質燃料ガス及び酸化剤としての空気を燃料電池セルスタックで高温の環境下で化学反応させることで発電を行うものである。
【００２３】
次に、外装ケース１１及び外装ケース１１の内部の配置構造について説明する。
図１に示すように、燃料電池発電装置１は、各種器具や各種配管等が外装ケース１１（ケース部材に相当する）に収納されて構成されている。外装ケース１１は、薄鋼板製の直方体状の箱状に構成され、前板部（図示略）、後板部（図示略）、左右１対の側板部１１ａ，１１ｂ、天板部１１ｃ等を備えている。
【００２４】
外装ケース１１の内部には、フレーム部材１２が収納され、このフレーム部材１２によって外装ケース１１の内部は上側発電室１１Ａと下側補機室１１Ｂとに仕切られている。上側発電室１１Ａには、発電モジュール２が収納され、下側補機室１１Ｂには、排熱回収装置７や各種の供給装置３〜６等の補機類、パワーコンディショナユニット８、制御ユニット９等が収納されている。
【００２５】
次に、フレーム部材１２について説明する。
図１〜図４に示すように、フレーム部材１２は、発電モジュール２を載置して固定する為の金属製の架台であり、前後１対の底部フレーム１２ｆ，１２ｇ上に固定される底板部１２ａ、この底板部１２ａの４隅部から上方に夫々延びる４本の支柱部１２ｂ、これら支柱部１２ｂの上端部に設けられ且つ発電モジュール２が載置される矩形枠状のモジュール載置部１２ｃ、２本の支柱部１２ｂ間に夫々設けられた配管挿通壁部１２ｄ，１２ｅ等から一体的に構成されている。
【００２６】
次に、モジュール固定構造１５について説明する。
図２〜図６に示すように、モジュール固定構造１５は、発電モジュール２をフレーム部材１２のモジュール載置部１２ｃに固定する為のものであり、フレーム部材１２に設けられた左右１対の固定フレーム１６と、発電モジュール２に設けられた左右１対の支持フレーム１７と、この１対の支持フレーム１７に夫々装着され且つ１対の固定フレーム１６に夫々嵌合される複数（例えば、１対）の吊り下げ金具１８等から構成されている。
【００２７】
１対の固定フレーム１６は、フレーム部材１２のモジュール載置部１２ｃの長手方向（左右方向）両端部に設けられている。各固定フレーム１６は、正面視Ｌ字状に形成され、縦板部１６ａと横板部１６ｂとを有している。各固定フレーム１６の縦板部１６ａには、４つの円形状の把手固定孔２１が形成されている。各固定フレーム１６は、モジュール載置部１２ｃの上に配置され、横板部１６ｂの下面に固定されたＬ形部材１６ｃと板部材１６ｄを介してモジュール載置部１２ｃの突状板部１２ｅに固定されている。尚、把手固定孔２１が、本発明の嵌合部に相当するものである。
【００２８】
１対の支持フレーム１７は、発電モジュール２の下端部の長手方向（左右方向）両端部に設けられている。各支持フレーム１７は、正面視にてクランク形状に形成され、上側縦板部１７ａと横板部１７ｂと下側縦板部１７ｃとを有している。各支持フレーム１７の下側縦板部１７ｃには、４つの把手固定孔２１に対応する４つのダルマ孔２２が形成されている。各支持フレーム１７は、複数のビス部材１７ｄを介して発電モジュール２のケースに固定されている。
【００２９】
図６に示すように、各ダルマ孔２２は、連続する互いに異なる穴径の２つの穴部から構成されている。即ち、後述する吊り下げ金具１８の把手部材２５の外径より僅かに大きい大孔部２２ａと、この大孔部２２ａから上下方向の上方に突出し且つ吊り下げ金具１８の把手部材２５の外径より小さい小孔部２２ｂとから一体的に形成されている。
【００３０】
次に、複数の吊り下げ金具１８について説明する。
図２〜図６に示すように、各支持フレーム１７には、１対の運搬用の吊り下げ金具１８が装着されている。つまり、発電モジュール２には、４つの吊り下げ金具１８が装着されている。尚、複数の吊り下げ金具１８は全て同じ構造であるので、以下では、１つの吊り下げ金具１８について説明する。
【００３１】
吊り下げ金具１８は、吊持手段１９（例えば、リングスリングやロープ、ワイヤー等）の連結部１９ａが連結可能に構成されていると共に、発電モジュール２をフレーム部材１２に設置固定する為の固定部材として共用可能に構成されている。つまり、吊り下げ金具１８は、吊持手段１９が連結可能な運搬位置と発電モジュール２をフレーム部材１２に固定可能な固定位置とに亙って切り換え可能に構成されている。
【００３２】
吊り下げ金具１８は、平面視略コ字形の金属製の把手部材２５と、この把手部材２５の両端部に設けられた１対の金属製又は合成樹脂製のバネ固定部材２６とから一体的に形成されている。この吊り下げ金具１８は、１対のバネ固定部材２６が支持フレーム１７の内側に位置するように、隣接する２つのダルマ孔２２に進退可能に装着されている。
【００３３】
把手部材２５は、支持フレーム１７の外側に位置する握り部２５ａと、この握り部２５ａの両端部からダルマ孔２２の大孔部２２ａを挿通してフレーム部材１２の内側に向って延びる１対の挿通ロッド部２５ｂとを有し、把手部材２５が引き出されて運搬位置にある場合、吊持手段１９の連結部１９ａを握り部２５ａに連結することができる。各挿通ロッド部２５ｂの内側寄り部分の外周部には、軸心を挟んで対向し且つ垂直方向に延びる１対の平面部２５ｃが形成されている。
【００３４】
各バネ固定部材２６は、把手固定孔２１よりも大径の環状板部２６ａと、この環状板部２６ａの端部に連なり且つ把手固定孔２１よりも僅かに小径の環状小径部２６ｂと、この環状小径部２６ｂの端部に連なり且つフレーム部材１２の内側に向って小径化する環状傾斜部２６ｃとから一体的に形成されている。各バネ固定部材２６は、対応する挿通ロッド部２５ｂの端部にビス部材２６ｄを介して固定されている。
【００３５】
次に、弾性部材２７について説明する。
図３，図５に示すように、吊り下げ金具１８には、この吊り下げ金具１８を外装ケース１１（フレーム部材１２）の内側方向に弾性付勢するように１対の弾性部材２７が設けられている。１対の弾性部材２７は、把手部材２５の１対の挿通ロッド部２５ｂに外嵌状に装着されている。各弾性部材２７は、圧縮バネで構成され、一端が支持フレーム１７の下側縦板部１７ｃの裏面側に当接され、他端がバネ固定部材２６の環状板部２６ａに当接され、吊り下げ金具１８を常時内方（固定位置）へ弾性付勢している。
【００３６】
弾性部材２７は、図７，図８に示すように、吊り下げ金具１８が進出状態（運搬位置）になると最大圧縮状態になり、図３，図５に示すように、吊り下げ金具１８が退入状態（固定位置）になると最小圧縮状態になるように設定されている。吊り下げ金具１８が弾性部材２７によって固定位置にある場合、１対のバネ固定部材２６の環状小径部２６ｂが固定フレーム１６の対応する２つの把手固定孔２１に挿入され、環状板部２６ａが固定フレーム１６の表面側に当接されるので、吊り下げ金具１８を固定部材として使用することがきる。
【００３７】
このように、吊り下げ金具１８は、手動により操作されて運搬位置に切り換えられると共に、弾性部材２７の弾性力により固定位置に切り換えられる。つまり、吊り下げ金具１８は、発電モジュール２の吊り下げ運搬時には、弾性部材２７の弾性力に抗して引き出されて使用されると共に、発電モジュール２をフレーム部材１２に設置固定する場合には、弾性部材２７の弾性力によってフレーム部材１２の２つの把手固定孔２１に嵌合するように構成されている。
【００３８】
次に、吊り下げ金具１８の保持構造２９について説明する。
図５〜図９に示すように、燃料電池発電装置１には、吊り下げ金具１８の吊り下げ金具として使用される状態を保持可能な保持構造２９が設けられている。この保持構造２９は、ダルマ孔２２の小孔部２２ｂ（図６参照）と、挿通ロッド部２５ｂの１対の平面部２５ｃ（図５参照）等を備えている。挿通ロッド部２５ｂの１対の平面部２５ｃ同士を結ぶ距離は、小孔部２２ｂの幅（直径）より僅かに小さく設定されている。
【００３９】
この保持構造２９において、吊り下げ金具１８を引き出し、握り部２５ａを上方へ持ち上げて吊り下げ金具１８を傾斜状態にすると、各挿通ロッド部２５ｂの１対の平面部２５ｃが対応するダルマ孔２２の小孔部２２ｂに夫々挿入され、弾性部材２７の弾性力によって各平面部２５ｃの外側端部の段差部分が小孔部２２ｂの外周壁部に夫々係合されるので、弾性部材２７の弾性力に抗して吊り下げ金具１８の引き出し状態（吊り下げ金具として使用される状態）を保持することができる。
【００４０】
次に、本発明の燃料電池発電装置１の作用及び効果について説明する。
発電モジュール２を運搬してフレーム部材１２のモジュール載置部１２ｃの上に載置する為に、最初に、発電モジュール２の複数の吊り下げ金具１８を弾性部材２７の弾性力に抗して夫々引き出し操作し、これら引き出された状態の吊り下げ金具１８を上方へ夫々操作することで、上述した保持構造２９によって複数の吊り下げ金具１８の引き出し状態を保持させる。
【００４１】
次に、図２に示すように、引き出し状態の複数の吊り下げ金具１８の握り部２５ａに対して、吊持手段１９（例えばリングスリング）の連結部１９ａ（例えばリングフック）を夫々連結し、吊持手段１９によって発電モジュール２を持ち上げてフレーム部材１２の上に運搬する。
【００４２】
次に、発電モジュール２をモジュール載置部１２ｃの上に載置し、吊持手段１９の連結部１９ａによる連結を解除する。次に、複数の吊り下げ金具１８を下方へ夫々操作して引き出し状態を解除すると、弾性部材２７の弾性力によって、複数の吊り下げ金具１８は夫々退入駆動される。このとき、吊り下げ金具１８の１対のバネ固定部材２６が、フレーム部材１２の対応する２つの把手固定孔２１に嵌合されるので、発電モジュール２をフレーム部材１２に固定することができる。
【００４３】
以上説明したように、発電モジュール２には、運搬用の吊り下げ金具１８が設けられ、吊り下げ金具１８は、発電モジュール２をフレーム部材１２に設置固定する為の固定部材として共用可能に構成されたので、発電モジュール２を運搬してフレーム部材１２の上に載置した後に、吊り下げ金具１８を固定部材として使用することで、発電モジュール２をフレーム部材１２に固定することができる。
【００４４】
従って、発電モジュール２の運搬に際して吊り下げ金具１８を取り付ける必要がなく、しかも、吊り下げ金具１８を、発電モジュール２をフレーム部材１２に固定する為に利用可能となるので、ボルト部材やビス部材を使用せずに発電モジュール２をフレーム部材１２に固定することできる。モジュール２の運搬後に発電モジュール２から吊り下げ金具１８を取り外す必要もないので、発電モジュール２をフレーム部材１２に短時間に且つ容易に固定することができる。
【００４５】
また、吊り下げ金具１８は、発電モジュール２の吊り下げ運搬時には、弾性部材２７の弾性力に抗して引き出されて使用されると共に、発電モジュール２をフレーム部材１２に設置固定する場合には、弾性部材２７の弾性力によってフレーム部材１２の把手固定孔２１（嵌合部）に嵌合するように構成されたので、発電モジュール２を固定する作業を迅速にできる上、発電モジュール２の固定強度を一定に維持することができる。発電モジュール２をフレーム部材１２に固定する為に、複数のボルト部材又はビス部材を必要としないので、コストを低減することができる。
【００４６】
さらに、吊り下げ金具１８の吊り下げ金具として使用される状態を保持可能な保持構造２９が設けられたので、発電モジュール２をフレーム部材１２に設置固定する場合には、吊り下げ金具として使用される状態で保持された吊り下げ金具１８に吊持手段１９を容易に接続することができる。
【００４７】
次に、前記実施例を部分的に変更した形態について説明する。
［１］前記実施例の燃料電池発電装置１は、発電モジュール２をフレーム部材１２の上に載置して固定した後に外装ケース１１で覆った一体的な構造のものであるが、特にこの構造に限定する必要はなく、図１０に示すように、上下分割式の燃料電池発電装置１Ａに本発明の構造を適用しても良い。即ち、燃料電池発電装置１Ａは、発電モジュール２を収納した上部ユニット３１、排熱回収装置７や各種の供給装置３〜６等の補機類等を収納した下部ユニット３２を備え、モジュール固定構造１５Ａを、上部ユニット３１に設けられた１対の支持フレーム１７Ａと複数の吊り下げ金具１８Ａと、下部ユニット３２に設けられた１対の固定フレーム１６Ａとで構成しても良い。
【００４８】
［２］前記実施例の弾性部材２７は、把手部材２５の挿通ロッド部２５ｂに外嵌状に装着された圧縮バネで構成されているが、この構造に限定する必要はなく、外装ケース１１の内側方向に弾性付勢する引っ張りバネで構成しても良い。また、前記実施例の弾性部材２７は、必ずしも必要ではなく、省略するような構造であっても良い。
【００４９】
［３］前記実施例のモジュール固定構造１５は、ほんの一例を示したに過ぎず、吊り下げ金具１８が、発電モジュール２をフレーム部材１２に設置固定する為の固定部材として共用可能に構成されものであれば、種々の構造のものを採用することができる。
【００５０】
［４］その他、当業者であれば、本発明の趣旨を逸脱することなく、前記実施例に種々の変更を付加した形態で実施可能であり、本発明はそのような変更形態を包含するものである。
【産業上の利用可能性】
【００５１】
本発明の運搬用の吊り下げ金具を固定部材として利用する技術は、燃料電池発電装置に限らず、種々の固定方法に応用することができる。
【符号の説明】
【００５２】
１，１Ａ  燃料電池発電装置
２      発電モジュール
１１    外装ケース
１２    フレーム部材
１８    吊り下げ金具
２１    把手固定孔
２７    弾性部材
２９    保持構造
【図１】
2014165121.tif 000003
【図２】
2014165121.tif 000004
【図３】
2014165121.tif 000005
【図４】
2014165121.tif 000006
【図５】
2014165121.tif 000007
【図６】
2014165121.tif 000008
【図７】
2014165121.tif 000009
【図８】
2014165121.tif 000010
【図９】
2014165121.tif 000011
【図１０】
2014165121.tif 000012